(57)【要約】【課題】ライスや麺類などの第１食品の上に、具材などの第２食品を高い確率で載せることができる食品容器を提供する。【解決手段】食品容器１０は、容器本体１００、仕切り部材２００、及び蓋部材３００を備えている。容器本体１００は収容部１２０を有している。収容部１２０には、第１食品、例えばご飯や麺類などの主食が収容される。仕切り部材２００は、容器本体１００の収容部１２０を覆う。仕切り部材２００の上には、第２食品、例えば具材が配置される。蓋部材３００は容器本体１００に取り付けられる。この際、蓋部材３００は、仕切り部材２００のうち少なくとも収容部１２０と重なる領域を覆う。そして、仕切り部材２００は、分割線２２０を有している。分割線２２０は、仕切り部材２００を複数に分割するために設けられている。【選択図】図１
2019210041.tif 000002
【特許請求の範囲】
【請求項１】
第１食品が収容される収容部を有する容器本体と、
前記収容部を覆う仕切り部材と、
前記容器本体に取り付けられ、前記仕切り部材のうち少なくとも前記収容部と重なる領域を覆う蓋部材と、
を備え、
前記仕切り部材の上に第２の食品が載置され、
前記仕切り部材は、当該仕切り部材を複数に分割するための分割線を有している食品容器。
【請求項２】
請求項１に記載の食品容器において、
前記分割線は、薄肉部又はミシン目である食品容器。
【請求項３】
請求項１又は２に記載の食品容器において、
前記仕切り部材は、平面視において、当該仕切り部材の縁に凹部を有しており、
前記分割線は前記収容部と交わっている食品容器。
【請求項４】
請求項１〜３のいずれか一項に記載の食品容器において、
前記仕切り部材の一部は前記蓋部材の外部に位置する食品容器。
【請求項５】
請求項４に記載の食品容器において、
前記仕切り部材は前記容器本体に固定されておらず、
前記仕切り部材の一部は、前記容器本体と前記蓋部材の間に挟まれる食品容器。
【発明の詳細な説明】
【技術分野】
【０００１】
本発明は、食品容器に関する。
【背景技術】
【０００２】
近年、店舗では様々な弁当が販売されている。一般的な弁当用の容器では、白米などの主食と副菜とを別々の領域に収容している。これに対し、特許文献１には、どんぶり用の食品容器が記載されている。この食品容器において、ライスや麺類は容器本体に収容されており、具材は袋に収容されている。具材を収容した袋は、ライスや麺類の上方に配置されている。そしてこの袋を容器本体の中から引っ張り出す際に、具材は袋から押し出され、ライスや麺類に載る。
【先行技術文献】
【特許文献】
【０００３】
【特許文献１】特開２００９−２０２９１７号公報
【発明の概要】
【発明が解決しようとする課題】
【０００４】
しかし、上記した公報に記載の食品容器では、袋から具材が押し出すことが難しく、その結果、ライスや麺類の上に具材が乗らない可能性があった。
【０００５】
本発明は上記事情に鑑みてなされたものであり、その目的とするところは、ライスや麺類などの第１食品の上に、具材などの第２食品を高い確率で載せることができる食品容器を提供することにある。
【課題を解決するための手段】
【０００６】
本発明によれば、第１食品が収容される収容部を有する容器本体と、
前記収容部を覆う仕切り部材と、
前記容器本体に取り付けられ、前記仕切り部材のうち少なくとも前記凹部と重なる領域を覆う蓋部材と、
を備え、
前記仕切り部材の上に第２の食品が載置され、
前記仕切り部材は、当該仕切り部材を複数に分割するための分割線を有している食品容器が提供される。
【発明の効果】
【０００７】
本発明によれば、第１食品の上に第２食品を高い確率で載せることができる。
【図面の簡単な説明】
【０００８】
【図１】実施形態に係る食品容器の分解斜視図である。
【図２】仕切り部材の平面図である。
【図３】食品容器の中に食品を収容する手順を説明するための断面図である。
【図４】第１食品及び第２食品を食するときの手順を説明するための図である。
【図５】変形例に係る仕切り部材の平面図である。
【図６】図５のＡ−Ａ断面図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
（実施形態）
図１は、実施形態に係る食品容器１０の分解斜視図である。食品容器１０は、容器本体１００、仕切り部材２００、及び蓋部材３００を備えている。容器本体１００は収容部１２０を有している。収容部１２０には、第１食品、例えばご飯や麺類などの主食が収容される。仕切り部材２００は、容器本体１００の収容部１２０を覆う。仕切り部材２００の上には、第２食品、例えば具材が配置される。蓋部材３００は容器本体１００に取り付けられる。この際、蓋部材３００は、仕切り部材２００のうち少なくとも収容部１２０と重なる領域を覆う。そして、仕切り部材２００は、分割線２２０を有している。分割線２２０は、仕切り部材２００を複数に分割するために設けられている。以下、食品容器１０について詳細に説明する。
【００１１】
容器本体１００及び蓋部材３００は、樹脂を用いて形成されている。ここで用いられる樹脂は、例えばポリプロピレン、ポリスチレン、及びＰＥＴ等があるが、他の樹脂であってもよい。容器本体１００及び蓋部材３００の成形方法は、例えば真空成形である。この場合、容器本体１００の厚さ及び蓋部材３００の厚さは、いずれも１．５ｍｍ以下であるが、０．８ｍｍ以下であってもよいし、さらには０．５ｍｍ以下であってもよい。ただし、容器本体１００の厚さ及び蓋部材３００の厚さは、強度を維持する観点から、好ましくは０．１５ｍｍ以上である。また、第１食品及び第２食品の状態を食品容器１０の外部から視認できるようにするために、容器本体１００及び蓋部材３００は透光性を有しているのが好ましい。
【００１２】
容器本体１００は、上記したように収容部１２０を有している。上記したように、収容部１２０には、第１食品、例えばご飯や麺類などの主食が収容される。収容部１２０の大きさ及び収容部１２０の上端（開口）の形状は、例えば円形であるが、四角形などの多角形であってもよい。また、収容部１２０の側面及び底面には、強度を持たせるための凹凸が形成されているのが好ましい。
【００１３】
蓋部材３００は、容器本体１００の収容部１２０を覆う。詳細には、蓋部材３００の縁３１０は、容器本体１００の縁１１０に嵌る形状を有している。本図に示す例において、蓋部材３００の縁３１０は、容器本体１００の縁１１０よりもわずかに大きい。このため、蓋部材３００が容器本体１００に取り付けられた状態において、縁３１０の内面は縁１１０の外面に接する。ただし、蓋部材３００の縁３１０は、容器本体１００の縁１１０よりもわずかに小さくてもよい。この場合蓋部材３００が容器本体１００に取り付けられた状態において、縁３１０の外面は縁１１０の内面に接する。
【００１４】
蓋部材３００の少なくとも一部は上に向かって凸になっている。このため、高さ方向において、蓋部材３００の内面の大部分は、容器本体１００の縁１１０よりも上方に位置する。これにより、仕切り部材２００と蓋部材３００の内面の間に、第２食品が位置するための空間が形成される。
【００１５】
仕切り部材２００は、可撓性を有する樹脂を用いて形成されており、上記したように容器本体１００の収容部１２０を覆う。なお、仕切り部材２００の厚さは、例えば容器本体１００及び蓋部材３００よりも薄い。具体的には、仕切り部材２００の厚さは例えば０．３ｍｍ以下である。また、仕切り部材２００の厚さは、強度を持たせる場合は例えば０．１５ｍｍ以上であるが、０．１ｍｍ以上であってもよい。一方、仕切り部材２００に強度が求められない場合、仕切り部材２００の厚さは０．１ｍｍ以下であってもよい。また、仕切り部材２００の平面形状は、例えば容器本体１００の縁１１０に沿った形状であるが、これに限定されない。
【００１６】
仕切り部材２００の上には第２食品が配置される。第２食品は、例えば丼や麺類の具材又はソースである。第２食品の水気は、第１食品の水気と比較して多い。このため、第２食品は食事の直前に第１食品の上に載せられるのが好ましい。
【００１７】
図２は、仕切り部材２００の平面図である。本図及び図１に示すように、仕切り部材２００は分割線２２０を有している。分割線２２０は、例えば薄肉部又はミシン目であり、仕切り部材２００を複数（例えば２つ）の小片に分割するために設けられている。具体的には、仕切り部材２００に力を加えた場合、仕切り部材２００は分割線２２０に沿って切断される。
【００１８】
なお、仕切り部材２００の縁の一部２３２は容器本体１００の外側に位置しているのが好ましい。このようにすると、蓋部材３００を容器本体１００に取り付けた状態で、一部２３２から仕切り部材２００に力を加えることにより、仕切り部材２００を分割線２２０に沿って分割することができる。ここで、分割線２２０の一部は容器本体１００の外に位置しているのが好ましい。言い換えると、分割線２２０は、仕切り部材２００の縁のうち、容器本体１００の外側に位置する部分から延在しているのが好ましい。このようにすると、容易に仕切り部材２００を分割線２２０に沿って分割させることができる。
【００１９】
また、仕切り部材２００は、平面視において、縁２１０に凹部２３０及び凹部２３４を有している。そして分割線２２０は凹部２３０，２３４に交わっている。より詳細には、平面視において、凹部２３０，２３４は略Ｖ字型又はＵ字型であるのが好ましい。そして、凹部２３０の底部に、分割線２２０の一方の端部が位置しており、凹部２３４の底部に、分割線２２０の逆側の端部が位置している。このようにすると、凹部２３０の両脇に、凹部２３０を引き裂く方向に力を加えることにより、容易に仕切り部材２００を分割線２２０に沿って分割することができる。
【００２０】
なお、仕切り部材２００は容器本体１００に固定されていない。その代わり、仕切り部材２００は容器本体１００の縁１１０と蓋部材３００の縁３１０の間に挟まれている。言い換えると、仕切り部材２００は可動な状態になっている。このようにすると、仕切り部材２００一部２３２から加えられた力を効率よく分割線２２０に伝達することができるため、容易に仕切り部材２００を分割線２２０に沿って分割することができる。
【００２１】
分割線２２０が延在する方向や本数は特に限定されない。図１及び図２に示す例において、分割線２２０は、仕切り部材２００を２等分するように直線状に延在している。分割線２２０は、例えばミシン目であるが、仕切り部材２００の他の部分より薄くなっている部分（薄肉部）であってもよい。なお、分割線２２０がミシン目の場合、ミシン目の切れ目の大きさは、第２食材に含まれる水分が落下しない程度であるのが好ましい。
【００２２】
図３の各図は、食品容器１０の中に食品を収容する手順を説明するための断面図である。まず、図３（Ａ）に示すように、容器本体１００の収容部１２０に、第１食品４００を収容する。この際、第１食品４００の上端を、容器本体１００の縁１１０よりも低くする。次いで、図３（Ｂ）に示すように、容器本体１００の上に仕切り部材２００を載置する。この際、仕切り部材２００の縁２１０の一部を弱粘着性のシールを用いて容器本体１００の縁１１０に固定してもよい。次いで、図３（Ｃ）に示すように、仕切り部材２００の上に第２食品４２０を配置する。この際、第２食品４２０の重みによって、仕切り部材２００は撓む。ここで、仕切り部材２００の縁２１０は、一部２３２を除いて容器本体１００の内側に入り込む場合もある。その後、図３（Ｄ）に示すように、容器本体１００に蓋部材３００を取り付ける。この際、仕切り部材２００の少なくとも一部２３２は、容器本体１００と蓋部材３００の間に挟まれる。
【００２３】
図４は、食品容器１０の中の第１食品４００及び第２食品４２０を食するときの手順を説明するための図である。第１食品４００及び第２食品４２０を食べようとする人は、蓋部材３００を容器本体１００に取り付けた状態で、仕切り部材２００の一部２３２に力を加える。これにより、仕切り部材２００は分割線２２０に沿って分割され、仕切り部材２００の上にある第２食品４２０は第１食品４００の上に落下する。その後、蓋部材３００を容器本体１００から取り外す。
【００２４】
以上、本実施形態によれば、第１食品４００と第２食品４２０は仕切り部材２００によって分離されている。仕切り部材２００には分割線２２０が設けられているため、仕切り部材２００を分割線２２０に沿って分割することにより、容易に第２食品４２０を第１食品４００の上に位置させることができる。このため、第１食品４００及び第２食品４２０を食べようとする人は、食べる直前に、容易かつ高い確率で、第２食品４２０を第１食品４００の上に載せることができる。また、この際に第２食品４２０が食品容器１０の外にこぼれることを抑制できる。
【００２５】
また、第２食品４２０を袋の中に詰める必要はなく、仕切り部材２００の上に第２食品４２０を載置すればよいため、食品容器１０の中に第２食品４２０を位置させる工程が簡略化される。
【００２６】
（変形例）
変形例に係る食品容器１０は、仕切り部材２００の構成を除いて実施形態に係る食品容器１０と同様の構成である。
【００２７】
図５は、本変形例に係る仕切り部材２００の平面図であり、図６は図５のＡ−Ａ断面図である。本変形例に係る仕切り部材２００は、以下の点を除いて実施形態に係る仕切り部材２００と同様の構成である。
【００２８】
まず、仕切り部材２００は、自重であまり変形しない程度の強度を有している。例えば仕切り部材２００の厚さは、０．５ｍｍ以上１．５ｍｍ以下である。
【００２９】
また、仕切り部材２００は凸部２４０を有している。凸部２４０は、仕切り部材２００の縁に沿って延在している。ただし、仕切り部材２００は、平面視において凹部２３０と重なる領域や、分割線２２０またはその延長線と重なる部分には形成されていない。また、凸部２４０は、仕切り部材２００の上面側すなわち第２食品４２０が載置される面側に突出している。
【００３０】
本実施形態によれば、実施形態と同様の効果が得られる。また、仕切り部材２００は自重であまり変形しない程度の強度を有している。このため、食品容器１０に第２食品４２０を収容する際の仕切り部材２００の取り扱いは容易になる。また、仕切り部材２００はさらに凸部２４０を有している。このため、仕切り部材２００は持ちやすくなり、その結果、食品容器１０に第２食品４２０を収容する際の仕切り部材２００の取り扱いは、さらに容易になる。
【００３１】
以上、図面を参照して本発明の実施形態について述べたが、これらは本発明の例示であり、上記以外の様々な構成を採用することもできる。
【符号の説明】
【００３２】
１０  食品容器
１００  容器本体
１１０  縁
１２０  収容部
２００  仕切り部材
２１０  縁
２２０  分割線
２３０  凹部
２３２  一部
３００  蓋部材
３１０  縁
４００  第１食品
４２０  第２食品
【図１】
2019210041.tif 000003
【図２】
2019210041.tif 000004
【図３】
2019210041.tif 000005
【図４】
2019210041.tif 000006
【図５】
2019210041.tif 000007
【図６】
2019210041.tif 000008